(57)【要約】      （修正有）【課題】太陽発電システムを格納容器内に情報収集機能、情報伝達機能、外部通信機能等を有する多様な電子機器とともに格納して災害時に避難場所となる施設や、電力供給のままならない地区等に常備して活用でき、豪雨や津波などの浸水にも耐えうる球形状の電力供給を提供する。【解決手段】開閉扉２３付き球形容器２０と、球形容器２０内に収容固定された蓄電池９と蓄電池９の充電源となる太陽電池システム２と、蓄電池９から球形容器２０内及び／又は球形容器２０外に配設される各種電気機器に電力を分配供給する電力供給部１０とで構成されてなる電力供給容器による。【選択図】図１
2016059106.tif 000002
【特許請求の範囲】
【請求項１】
開閉扉付き球形容器と、該球形容器内に収容固定された蓄電池と前記蓄電池の充電源となる太陽電池システムと、前記蓄電池から球形容器内及び／又は球形容器外に配設される各種電気機器に電力を分配供給する電力供給部とで構成されてなることを特徴とする電力供給容器。
【請求項２】
球形容器の外壁部に、前記太陽電池システムからの電力供給ケーブルを接続して球形容器内に収容固定された蓄電池を充電するためのレセプタクルが設けられてなることを特徴とする請求項１に記載の電力供給容器。
【請求項３】
太陽電池システムが、複数枚の太陽光発電パネルと、該複数枚の太陽光発電パネルを並列に接続するための接続具と、前記太陽光発電パネルの正負両出力端子と前記接続具とを結ぶケーブルとで構成されてなることを特徴とする請求項１又は２に記載の電力供給容器。
【請求項４】
太陽電池システムを構成する複数枚の太陽光発電パネルが、常時は接続具及びケーブルとともに前記球形容器内に格納・保管され、災害時に、前記球形容器の開閉扉を開いて取り出し、該太陽光発電パネルを展開するとともに接続具、及びケーブルを介して球形容器内に収容固定された蓄電池を充電可能にしてなることを特徴とする請求項１〜３のいずれか１項に記載の電力供給容器。
【請求項５】
前記太陽光発電パネルが、フィルム型アモルファス発電パネルであって、常時はそれぞれ捲回されて格納容器内に収納されてなることを特徴とする請求項１〜４のいずれか１項に記載の電力供給容器。
【請求項６】
前記接続具が、前記球形容器の外に取り出して使用されるものであって、複数枚の太陽光発電パネルからのケーブルを並列接続し、前記球形容器内に固定された蓄電池に、球形容器の外壁に設けられたレセプタクルを介して１本のケーブルで充電可能にしてなるものであることを特徴とする請求項２〜５のいずれか１項に記載の電力供給容器。
【請求項７】
電力供給部がインバーターを有し、蓄電池からのＤＣ出力、インバーターからのＡＣ出力のいずれをも供給可能にしてなることを特徴とする請求項１〜６のいずれか１項に記載の電力供給容器。
【請求項８】
球形容器が、水害対策のため完全防水構造とされてなることを特徴とする請求項１〜７のいずれか１項に記載の電力供給容器。
【請求項９】
球形容器内に、災害情報収集機能、災害情報伝達機能、外部通信機能を有する多様な電子機器のいずれか１種、又は複数種を収納、装備してなることを特徴とする請求項１〜８のいずれか１項に記載の電力供給容器。
【請求項１０】
球形容器内に浄水システムを備えてなることを特徴とする請求項１〜９のいずれか１項に記載の電力供給容器。
【請求項１１】
球形容器内に貯水タンクとして利用可能なエアタンクを備えてなることを特徴とする請求項１〜１０のいずれか１項に記載の電力供給容器。
【発明の詳細な説明】
【技術分野】
【０００１】
開閉扉付き球形容器内に、蓄電池と、前記蓄電池の充電源となる太陽電池システムと、前記蓄電池からの電力を球形容器内及び／又は球形容器外に配設される各種電気機器に分配供給する電力供給部とが備えられ、災害時に避難場所となる施設や、電力供給のままならない地区等に常備して活用可能な電力供給容器に関する。
【背景技術】
【０００２】
地震、台風、豪雨等の自然災害時、避難所に避難した人の不安解消には正確な情報の収集とその的確な伝達とが欠かせない。しかし甚大な災害時には，電力や通信網、あるいは道路網といった重要なインフラストラクチァーが途絶するとその機能が果たせなくなる虞が出てくる。なかでも電力途絶の影響は大きなものがある。また、世界には電力供給が行き渡っていない電力未普及地域も数多くある。
前記のような電力の途絶を解消する手段として、太陽電池を活用した災害時に使用できる太陽光発電システムの発明がなされている。
例えば特許文献１には、
「複数の太陽電池パネルが折りたたまれて収容された蓋部と、複数の太陽電池パネル折りたたまれて収容された本体部とを、ヒンジを介して開閉可能なケースとし、ケース内に制御部と蓄電池及びインバーターを内蔵し、蓄電池は、太陽電池パネルを広げた状態で発電した電流を充電する可搬型太陽光発電装置」が開示されている。
また、特許文献２には、
「使用時には、本体ケースと本体ケースの外面に円筒状に巻き取られたシート状の太陽電池を外部ケースから取り出しシート状の太陽電池を引き伸ばすだけで取り扱いがきわめて簡単であり、収納時には、圧力バランス保持完全防水機構を有している外部ケースに収納するので水濡れしても浸水による機能損傷がなく、アウトドアーや災害時更には船舶搭載などにも対応できる取り扱いが極めて簡便で利便性が高い太陽光発電電源装置。」
が開示されており，そして前記本体ケースは透明、中空で，該ケース内には電力供給回路とバッテリー及び照明部材が収納されている。
【先行技術文献】
【特許文献】
【０００３】
【特許文献１】特開２０１３−１５３００８号公報
【特許文献２】特開２０１２−８４８２２号公報
【発明の概要】
【発明が解決しようとする課題】
【０００４】
上記特許文献１、２に開示されたような太陽電池パネルを折りたたみ、又は捲回してケース内に保管しておき、必要時に取り出して展開して使用できる太陽電池による発電システムは、それが容易に移動できることから使い勝手がよく、災害対策用としても有用であるが、これを格納容器内に災害情報収集機能、災害情報伝達機能、外部通信機能を有する多様な電子機器等とともに格納して所定の避難場所等に常備しておくという災害対応システムとしての発明は見られない。
さらに、洪水や津波により常備位置が浸水し、また格納容器が流されるといった大災害における前記格納容器の損傷、浸水、そして流失といった事態に対応できるものは見られない。
本発明は、上記周辺技術に鑑みてなされたもので、多様な災害に対応できる太陽電池システムによる電力供給容器を提供するとともに、該電力供給容器を電力未普及地域におけるインフラストラクチャーの一つとして提供しようとするものである。
【課題を解決するための手段】
【０００５】
本発明者は上記課題を下記の手段により解決した。
（１）開閉扉付き球形容器と、該球形容器内に収容固定された蓄電池と前記蓄電池の充電源となる太陽電池システムと、前記蓄電池から球形容器内及び／又は球形容器外に配設される各種電気機器に電力を分配供給する電力供給部とで構成されてなることを特徴とする電力供給容器。
（２）球形容器の外壁部に、前記太陽電池システムからの電力供給ケーブルを接続して球形容器内に収容固定された蓄電池を充電するためのレセプタクルが設けられてなることを特徴とする（１）に記載の電力供給容器。
（３）太陽電池システムが、複数枚の太陽光発電パネルと、該複数枚の太陽光発電パネルを並列に接続するための並列接続具と、前記太陽光発電パネルの正負両出力端子と前記接続具とを結ぶケーブルとで構成されてなることを特徴とする（１）又は（２）に記載の電力供給容器。
（４）太陽電池システムを構成する複数枚の太陽光発電パネルが、常時は接続具及びケーブルとともに前記球形容器内に格納・保管され、災害時に、前記球形容器の開閉扉を開いて取り出し、該太陽光発電パネルを展開するとともに接続具、及びケーブルを介して球形容器内に収容固定された蓄電池を充電可能にしてなることを特徴とする（１）〜（３）のいずれか１項に記載の電力供給容器。
（５）前記太陽光発電パネルが、フィルム型アモルファス発電パネルであって、常時はそれぞれ捲回されて格納容器内に収納されてなることを特徴とする（１）〜（４）のいずれか１項に記載の電力供給容器。
【０００６】
（６）前記接続具が、前記球形容器の外に取り出して使用されるものであって、複数枚の太陽光発電パネルからのケーブルを並列接続し、前記球形容器内に固定された蓄電池に、球形容器の外側壁に設けられたレセプタクルを介して１本のケーブルで充電可能にしてなるものであることを特徴とする（２）〜（５）のいずれか１項に記載の電力供給容器。
（７）電力供給部がインバーターを有し、蓄電池からのＤＣ出力、インバーターからのＡＣ出力のいずれをも供給可能にしてなることを特徴とする（１）〜（６）のいずれか１項に記載の電力供給容器。
（８）球形容器が、水害対策のため完全防水構造とされてなることを特徴とする（１）〜（７）のいずれか１項に記載の電力供給容器。
【０００７】
（９）球形容器内に、災害情報収集機能、災害情報伝達機能、外部通信機能を有する多様な電子機器のいずれか１種、又は複数種を収納装備してなることを特徴とする（１）〜（８）のいずれか１項に記載の電力供給容器。
（１０）球形容器内に浄水システムを備えてなることを特徴とする（１）〜（９）のいずれか１項に記載の電力供給容器。
（１１）球形容器内に貯水タンクとして利用可能なエアタンクを備えてなることを特徴とする（１）〜（１０）のいずれか１項に記載の電力供給容器。
【発明の効果】
【０００８】
本発明の電力供給容器によって下記の効果が発揮される。
〈１〉本発明は、開閉扉付き球形容器と、該球形容器内に収容固定された蓄電池と前記蓄電池の充電源となる太陽電池システムと、前記蓄電池から球形容器内外に配設される各種電気機器に電力を分配供給する電力供給部とで構成されてなる電力供給容器であり、また前記太陽電池システムが、複数枚の太陽光発電パネルと、該複数枚の太陽光発電パネルを並列に接続するための並列接続具と、前記太陽光発電パネルの正負両出力端子と前記接続具とを結ぶケーブルとで構成されてなり、前記太陽電池システムを構成する複数枚の太陽光発電パネルが、常時は接続具及びケーブルとともに前記球形容器内に格納・保管され、そして前記球形容器の外壁部に前記太陽電池システムからの電力供給ケーブルを接続して球形容器内に収容固定された蓄電池を充電するためのレセプタクルが設けられているので、
災害時には、即時に前記球形容器の開閉扉を開いて取り出して太陽光発電パネルを展開することや、太陽発電パネルと接続具をケーブルで接続することなどの作業が、誰にでも容易に行え、球形容器内に収容固定された蓄電池への充電を即時に開始することができる。
〈２〉前記太陽光発電パネルが、フィルム型アモルファス発電パネルであるので、使用済み後に捲回して円筒内に収納することができ、保管スペースが少なくてよく、大量に球形容器内収納でき、また軽量で取り扱いが容易である。
【０００９】
〈３〉前記接続具が、前記球形容器の外に取り出して使用されるものであって、複数枚の太陽光発電パネルからのケーブルのすべてを並列接続し、前記球形容器内に固定された蓄電池に、球形容器の外側壁に設けられたレセプタクルを介して１本のケーブルで充電可能にしているので、
前記接続具を、展開された複数枚の太陽光発電パネルの近傍に配設すれば、太陽光発電パネルの設置場所が球形容器から多少離れていても、複数枚の太陽光発電パネルからの直流電流を電線径の太い１本のケーブルによって少ない損失で送電でき、伝効率のよい太陽光発電システムが構成できる。
【００１０】
〈４〉球形容器内及び／又は球形容器外に配設される各種電気機器に電力を分配供給する電力供給部がインバーターを有し、蓄電池からのＤＣ出力、インバーターからのＡＣ出力のいずれをも供給可能にしてなるので、
球形容器の内に格納し、また災害時に球形容器外に配設して使用する被災者の用途似合わせて電気機器の使用を可能とし、その選択範囲が広げられる。
〈５〉球形容器が、水害対策のため完全防水構造とされているので、
設置場所が浸水したり、津波で流されたりしても、球形容器は水面に浮上し、沈没することなく、さらに球形容器のため水圧に強く、また浮遊物の衝突による衝撃にも耐えられ、格納された太陽電池システムをはじめとする機器を安全に保持でき、事後の運用に支障を与えない。
【００１１】
〈６〉前記〈１〉〜〈５〉の効果に加えて、電力供給容器が、球形容器内に、災害情報収集機能、災害情報伝達機能、外部通信機能を有する多様な電子機器のいずれか１種、又は複数種を収納装備しているので、
災害情報の正確な把握と、その避難者への的確な伝達が図れるほか、被災地域の現状を救難本部に伝達し、救助要請を迅速に行うことも可能になる。
〈７〉前記〈１〉〜〈６〉の効果に加えて、電力供給容器が、球形容器内に浄水システムを備えているので、
河川の水や学校のプールの水等身近な水源から得られる水を濾過して飲用に供することもでき、災害時における被災者を全面的に支援することができる。
〈８〉前記〈１〉〜〈７〉の効果に加えて、球形容器内に貯水タンクとして利用可能なエアタンクを備えているので、
設置場所が浸水したり、津波で流されたりしても、エアタンクの空気が浮力になり球形容器は水面に浮上し、沈没することを防止することができ、また、陸上においては、給水を受ける時の貯水タンクとして、あるいは前記浄水システムを使用して浄化した水の貯水タンクとしても利用可能であり、災害時における被災者を全面的に支援することができる。
【図面の簡単な説明】
【００１２】
【図１】電力供給容器の一実施例の構成説明図
【図２】電力供給容器の他の実施例の構成説明図
【図３】電力供給容器の外観とその設置方法の説明図
【図４】電力供給容器の内部構造説明図
【図５】太陽光発電パネルの格納方法一実施例の説明図
【発明を実施するための形態】
【００１３】
本発明の電力供給容器を実施するための形態を、実施例の図に基づいて説明する。
図１は電力供給容器の一実施例の構成説明図、図２は電力供給容器の他の実施例の構成説明図、図３は電力供給容器の外観とその設置方法の説明図、図４は電力供給容器の内部構造説明図、図５は太陽光発電パネルの格納方法一実施例の説明図である。
図において１は電力供給容器、２は太陽電池システム、３は太陽光発電パネル、４は接続具、５は太陽光発電パネルの正負両出力端子と前記接続具とを結ぶケーブル、６は分岐コネクター、７は接続具と球形容器との結合ケーブル、８、８’はレセプタクル、９は蓄電池、１０は電力供給部で、１０ａはＤＣ出力部、１０ｂはＡＣ出力部、１１はインバーター、１２は格納容器、１３は固定バンドを示す。
そして、２０は球形容器、２１は第１円筒スペース、２２は第２円筒スペース、２３、２３’は開閉扉、２４、２４’はハッチ、２５は帯、２６はフック、２７は取っ手、２８はスタンド脚部、２９は防水キャップであり、３０はエアタンク、３１は開閉式間仕切り板、３２はラジオ・拡声装置、３３はスピーカー、３４はタブレット端末、３５はＬＥＤ照明具である。
【００１４】
本発明の電力供給容器１の一実施例は、図１に示すように、開閉扉２３を有する球形容器２０と、該球形容器２０内の下部に収容固定された蓄電池９と、前記蓄電池９の充電源となる太陽電池システム２と、前記蓄電池９から球形容器２０内及び／又は球形容器２０外に配設される各種電気機器に電力を分配供給する電力供給部１０とでなり、前記太陽電池システム２は、複数枚の太陽光発電パネル３と、該複数枚の太陽光発電パネル３を並列に接続するための接続具４と、前記太陽光発電パネル３の正負両出力端子と前記接続具４に設けられたレセプタクル８’とを結ぶケーブル５と、前記接続具４と前記球形容器２０の外壁に設けられたレセプタクル８とを結ぶケーブル７とで構成されている。
そして、前記太陽電池システム２を構成する複数枚の太陽光発電パネル３は、常時は接続具４及びケーブル５、７とともに前記球形容器内に格納・保管されており、災害時には前記球形容器２０の開閉扉２３を開いて取り出し、前記太陽光発電パネル３を展開するとともに、太陽光発電パネル３と接続具４、接続具４と球形容器２０の外壁に設けられたレセプタクル８とをそれぞれのケーブル５、７とで結ぶことによって、前記レセプタクル８に接続された前記球形容器２０内に収容固定されている蓄電池９への充電が可能になる。
なお、使用する太陽光発電パネル３としては、捲回して格納容器内に収納できるフィルム型アモルファス発電パネルが好ましい。また、接続具４と球体容器２０の外壁に設けたレセプタクル８とを結ぶケーブル７は、前記太陽光発電パネル３を展開して使用する使用可能範囲を広げることと、電圧低下を防止すること、取り扱いが容易なことから、その長さを５〜２０ｍにすることが好ましい。
また、図１に示す実施例においては、接続具４に備えたレセプタクル８’を４個とし、４枚の太陽光発電パネル３からのケーブル５を接続するものとしたが、図２に示す他の実施例のように、太陽光発電パネル３と接続具４との間に予め２枚の太陽光発電パネル３の出力を合成するコネクター６を介在させ、４個のレセプタクル８’を有する接続具４で８枚の太陽光発電パネル３の出力電力を１本の結合ケーブル７によって球形容器２０の外壁に設けられたレセプタクル８を介して蓄電池９に送ることもできる。
なお、太陽光発電パネル３と接続具４を結ぶケーブル５と、接続具４と球形容器２０との結合ケーブル７とは、流れる電流量が違うため異なる太さで構成でき、それらのケーブル５、７の両端に設けられたプラグと、そのプラグを受けるレセプタクル８、８’の大きさも異なる形状にできるので、太陽光発電パネル３と接続具４を接続し、接続具４と球形容器２０のレセプタクル８とを接続する作業は、誤接続されることなく、誰にでも容易、かつ間違いなく実施できる。
図１の実施例においては、蓄電池９を球形容器２０の下部に収容固定しており、これにより電力供給容器１の重心が球体の下方に位置することとなり、電力供給容器１の安定化に寄与している。
【００１５】
球形容器２０内に格納される災害情報収集機能、災害情報伝達機能、外部通信機能を有する電子機器の例として図１、図２にはラジオ・拡声装置３２、スピーカー３３、タブレット端末３４を記載したが、これに限られるものでなく、サイレン等の警戒音を発生するものなど、本発明の電力供給容器が設置される地域、場所において前記各機能を効果的に発揮できるものを選択して格納し保管しておくこともできる。なお、図中３５は球形容器２０の内外を照明するＬＥＤ照明具を示している。
図１、図２は、電力供給容器１の構成を説明するためのものであって、各機器類の実際の配備状況は任意に選択できる。ただし装備する機器の種類や外形寸法、重量によって前記電力供給容器１が水面に浮かんだ状態での安定性を考慮してその配置が決められ固定されることが好ましい。
また、球形容器２０内に、小型の浄水システム及び貯水タンクとして利用可能なエアタンク３０（図４参照）を備えるようにしておけば、水道が使用できない場合でも、エアタンク３０に蓄えた水や河川水、学校のプールの水等を浄化して飲用に供することができ、また太陽電池システム２で得られた電力を熱源とすれば粉ミルクを溶かして乳幼児に与えること等も可能となる。さらにその他の付加設備としても様々なものが想定でき、それら様々なものを使用可能とし被災者に安心感を与えることができる。
【００１６】
本発明における球形容器２０は、図３にその外観を示すように左右２つの半球形のボウル状容器を密着させ、その接合部の外周に帯２５を捲着して完全防水構造とされてなるものであり、素材には軽量で耐候性、耐水性、耐食性に優れ、損傷しても修理が比較的容易なＦＲＰが使用されている。なお、素材は、上記効果を有するものであればよく、ＦＲＰに限定されるものではない。
前記電力供給容器１には、該球形容器２０内に太陽電池システム２、及び災害情報収集機能、災害情報伝達機能、外部通信機能を有する多様な電子機器を格納し、必要に応じて取り出すための円形ハッチ２４が設けられ、該ハッチ２４にはＯリングを備えた回転ロック式の開閉扉２３が装着されており、該開閉扉２３のロック時には防水構造となる。なお前記開閉扉２３のロック解除は、ハッチ２４横の球形容器２０外壁に設けられた防水コックを開くことで行われる等により、２段階式の開閉機構とすることが好ましい。  
本実施例においては、円形の開閉扉２３とし、球形容器２０外周部から突出しない形状としている。したがって、球形容器２０の外周から突出して損傷を受けるような形状でなければ、任意の形状の開閉扉２３とすることもできる。
なお、ハッチ２４は左右のボウル状容器のいずれか一方に設けられていてよいが、左右のボウル状容器のそれぞれに１つずつ設けて、球形容器２０内への太陽電池システム２をはじめとする多様な電子機器や器具類の格納、取り出しを容易にして球形容器２０内の格納スペースの有効活用が図れるものとしたり、また一方を太陽電池システム２に関連する機器や機材を格納し取り出すためのハッチ２４とし、他方を浄水システム（図示せず）等別の機能の格納に使用するためのハッチ２４’としたりすることも好ましい。
また球形容器２０は、その内部に格納、収納する装備の種類、数量によって任意の大きさに形成される。例えば直径１０００〜２０００ｍｍ、特に好ましくは１５００〜１８００ｍｍとすると、太陽光発電パネル３を８枚、主要な災害情報収集機能、災害情報伝達機能、外部通信機能を有する各種電子機器、及び浄水装置とエアタンク３０を格納装備するのに適している。
【００１７】
本発明の電力供給容器１は、常時には災害発生時に避難場所となる学校や公園等に安全に設置され、災害時には確実に使用できるものでなければならない。したがって、常備位置が大雨による洪水や、津波等によって浸水した場合を想定して、電力供給容器１の形状を浸水時にも水面に浮上し、また流木等の衝突による衝撃にも耐えられるよう球形を採用している。
このため、避難場所における本電力供給容器１の設置は、球形容器２０の下部に当接して支持する専用スタンドや地面に掘って設けた円筒状の穴の縁端部に載置して行うこと等が想定されるが、これらに限られるものでなく、球形容器２０が安定に支持される形状のもの、又は方法であってよい。
また、前記電力供給容器１を完全防水型とし、浸水時には水上に浮上して格納された太陽電池システム２の機能が損なわれないようにしている。したがって、左右２つのボウル状容器を密着させて完全防水構造とするため、前述したように両ボウル状容器の接合部の外周にＦＲＰ製の帯２５が捲着されている。ＦＲＰ製とすることで、球形容器２０の最も弱い接続部の強度を向上させ、破損を抑えることができるが、同様の効果が発揮されるものであれば、その使用を制限するものではない。
さらに、球形容器２０内には、エアタンク３０（図４参照）が備えられ、津波等により浸水した場合に、エアタンク３０内の空気が浮力となり、水面に浮上するように構成され電力供給容器１が水中に沈没することを防止している。
なお、該エアタンク３０は、陸上での使用時には、給水車からの給水を受けるために一時的に使用する貯水用のタンクとして利用したり、電力供給容器１内に備えられた浄水システムを使用して浄化した水の貯水用のタンクとしても利用することもできる。
そして球形容器２０の表面複数箇所に、洪水等の出水時に前記電力供給容器１が流失しないよう被難所となる建造物等にロープで固定しておくためのフック２６が設けられている。なおこのフック２６は電力供給容器１を専用スタンド等の上に載置する際、或いは運搬移動の際の吊り上げ用、さらには流されて水に浮かんだ電力供給容器１をボートで牽引し、水上から引き上げる際のフックとしても使用できる。
そして本実施例においては、前記球形容器２０の下部には、人手によって前記電力供給用容器１を持ち上げて運搬もできるよう複数対の取っ手２７が設けられているほか、図３に示すように、球形容器２０の下部壁面の３箇所に、外側に開かれてスタンドの役割を果たすスタンド脚部２８も備えられている。これらは、災害時に損傷を受けないよう、球形容器の外周面から突出しないよう形成されることが好ましい。また、前記取っ手２７は、前記電力供給容器１が水面に浮上した場合を想定し、その際、人が掴める位置に設けられるのが好ましい。
さらに、前記球形容器２０の外壁に設けられたレセプタクル８に防水キャップ２９が備えられて防水性を向上させている（図４参照）。
【００１８】
球形容器２０の内部構造の一例を図４によって説明する。図４において（ａ）は平常時の状態、即ち太陽電池システム２等が球形容器２０内に保管・固定された状態を、又（ｂ）は、太陽光発電パネル３を球形容器２０から取り出して使用しているときの状態を示している。
球形容器２０の底部は、被災時に水面に浮上することを助けるためのエアタンク３０として使用されている。また、エアタンク３０は、地上での電力供給容器１使用時には、貯水用のタンクとしても利用可能となっている。エアタンク３０の天井板をＦＲＰ製とし、内側に塗装を施すことで、貯水タンクとして使用する場合、長期間の貯水でも臭いの発生や水質劣化を防ぐことができる。たとえば、貯水用のタンクとして使用される場合、直径１８００ｍｍの球形容器２０の場合であれば、１００〜１５０リットルが貯水できる。
そして前記エアタンク３０の円形状の天井板の上には蓄電池９が配置されている。本実施例においては、エアタンク３０の天井板の中心部付近に、エアタンク３０の天井板の円周に対して最小の円を描くように、９０°間隔で４個の蓄電池９がバランスよく配置・固定されている。これにより、球形容器２０の全体の重量バランスがとれ、非常時に水上に浮いた場合のローリングを最小限に抑えることができる構成となっている。なお本実施例では蓄電池９を４個としたが、球形容器２０の大きさや、太陽光発電パネル３の収納枚数等に合わせて、蓄電池９の大きさや数は任意に選択でき、その場合も、球形容器２０全体との重量バランスを考慮して配置される。全体の重量バランスを考慮することで、被災時に、球形容器２０本体及び収納されたものの破損等を最小限に抑えることができる。
また、左右二つの半球形のボウル状容器のそれぞれのハッチ２４、２４’には、これらに繋がる円筒スペース（２１、２２）がそれぞれ設けられている。図４においては左側のハッチ２４は、前記太陽電池システム２を収容・保管するものとして左側の半球形のボウル状容器にはその半径に対応する長さの第１円筒スペース２１が、そして右側の球形のボウル状容器のハッチ２４’には第１円筒スペース２１より短い第２円筒スペース２２が設けられている。そして第１円筒スペース２１の端部には第２スペース２２側に開く円形の開閉式間仕切り板３１が設けられている。この開閉式間仕切り板３１の第１円筒スペース２１側は、反射面で構成され、中心部にはスピーカー３３が固着されている。なお、図４（ａ）では、間仕切り板３１が上方に開くように示したが、それに限られるものでなく、側方に開くものであってよい。
また、第１円筒スペース２１の天井面には、前記ＬＥＤ照明具３５の格納部が設けられている。
【００１９】
図４（ａ）に示すように太陽電池システム２等が球形容器２０内に保管・固定された状態においては、太陽光発電パネル３が捲回されて格納された格納容器１２が配置されている。格納容器１２は、左側のハッチ２４から第１円筒スペース２１に挿入されるが、その際、開閉式間仕切り板３１の第２スペース２２側に取り付けられたロープ（図示せず）をハッチ２４’から引いて開閉式間仕切り板３１を第２円筒スペース２２側に開いておく。このことによって格納容器１２の先端部分が第２円筒スペース２２にまで達し、安定に保持されることとなる。
また、太陽光発電パネル３を球形容器２０から取り出すと、図４（ｂ）に示すように、開閉式間仕切り板３１が、第１円筒スペース２１に備えられた取付ヒンジのスプリングによって第１円筒スペース２１の一端を閉鎖するように閉じる。そして前記ＬＥＤ照明具３５を格納部から垂下させて発光させると、その光が前記間仕切り板３１表面の反射面で反射され、第１円筒スペース２１内及びハッチ２４から球形容器２０外にも漏れ出し、夜間においては、球形容器２０周辺を明るくし、避難者の不安解消にも役立つ。
なお、前記LED照明具３５は、第２円筒スペース２２にも配置されてもよく、その場合には、開閉式間仕切り板３１の両面を反射面とする。
さらに前記開閉式間仕切り板３１の中央に設けたスピーカー３３の音がハッチ２４から球形容器２０外に響くので、避難者に的確な情報が伝達でき、音楽等による心の癒やしにも役立つことになる。
【００２０】
太陽光発電パネル３の格納容器１２としては、円筒なども考えられるが、本発明においては、図５に示すような、半筒形のトレイ状のものとして、捲回した太陽光発電パネル３を前記トレイ状の格納容器１２に載置し複数の固定バンド１３で、トレイ状の格納容器１２に固定し、載置の際の安定性を高め、かつ使用時の取り出しを容易なものとしている。
また、本実施例においては、第１円筒スペース２１，第２円筒スペース２２を設けて、各種配置、収納しているが、円筒スペースでなくとも、球形容器２０内に、バランスよく蓄電池、太陽電池システム、電力供給部、その他各種電気機器等を収納、保管できる構造を任意に選択することができる。
【産業上の利用可能性】
【００２１】
これまで本発明の電力供給容器１について、主に災害対策用として説明してきたが、それに限られるものでなく、電力供給が行き渡っていない電力未普及地域における個人住宅や小規模集落での簡便な電力供給システムとして利用されてよく、その方向での活用も期待される。  
【符号の説明】
【００２２】
１：電力供給容器
２：太陽電池システム
３：太陽光発電パネル
４：接続具
５：太陽光発電パネルの正負両出力端子と前記接続具とを結ぶケーブル
６：分岐コネクター
７：接続具と球形容器との結合ケーブル
８、８’：レセプタクル
９：蓄電池
１０：電力供給部
１０ａ：ＤＣ出力部 
１０ｂ：ＡＣ出力部
１１：インバーター
１２：格納容器
１３：固定バンド
２０：球形容器  
２１：第１円筒スペース
２２：第２円筒スペース
２３、２３’：開閉扉
２４、２４’：ハッチ
２５：帯
２６：フック
２７：取っ手
２８：スタンド脚部
２９：防水キャップ
３０：エアタンク    
３１：開閉式間仕切り板
３２：ラジオ・拡声装置
３３：スピーカー
３４：タブレット端末
３５：ＬＥＤ照明具
【図１】
2016059106.tif 000003
【図２】
2016059106.tif 000004
【図３】
2016059106.tif 000005
【図４】
2016059106.tif 000006
【図５】
2016059106.tif 000007